(57)【要約】【課題】  プロセスである経過記録の内容の真正性を保証することができる経過データの真正性保証システム、その方法、経過記録装置およびプログラムを提供する。【解決手段】  モニタリング装置１０が対象物の状態をモニタリングし、経過記録サーバ３０は、時刻情報提供装置５０や位置情報提供装置６０から取得した情報とともに、電子認証装置７０により保証される電子署名を付して経過記録データを保存する。トレーサビリティ閲覧端末４０は、経過記録サーバ３０から経過記録データを取得し、閲覧する。【選択図】  図１
2006201849.tif 000002
【特許請求の範囲】
【請求項１】
ネットワークを介して接続されているモニタリング装置と、経過記録サーバと、閲覧端末と、を含む経過データの真正性保証システムであって、
前記モニタリング装置は、モニタリング対象物の状態をモニタリングするモニタ手段と、
モニタリング対象物もしくはモニタリング装置の位置情報を有する、もしくは位置を特定する手段と、を備え、
前記経過記録サーバは、
前記モニタリング装置より受信したモニタリング情報を、前記位置情報とともに時刻情報経過記録として時系列で保存する保存手段と、
前記閲覧端末からの問い合わせに対して、経過記録データを回答する回答手段と、を備え、
前記閲覧端末は、経過記録情報の問い合わせを受け付ける受付手段と、
前記経過記録サーバに、経過記録データを問い合わせる問合せ手段と、
前記経過記録サーバから取得した経過記録データを閲覧する閲覧手段と、
を備えることを特徴とする経過データの真正性保証システム。
【請求項２】
ネットワークを介して接続されているモニタリング装置と、経過記録サーバと、工程管理端末と、を含む経過データの真正性保証システムであって、
前記モニタリング装置は、モニタリング対象物の状態をモニタリングするモニタ手段と、
モニタリング対象物もしくはモニタリング装置の位置情報を有する、もしくは位置を特定する手段と、を備え、
前記経過記録サーバは、
前記モニタリング装置より受信したモニタリング情報を、前記モニタリング装置の識別情報および前記位置情報とともに時刻経過記録として時系列で保存する保存手段と、
前記工程管理端末からの問い合わせに対して、経過記録データを回答する回答手段と、を備え、
前記工程管理端末は、実施されるべき工程情報および各工程における前記モニタリング装置情報を登録する工程情報登録手段と、
前記経過記録サーバに、経過記録データを問い合わせる問合せ手段と、
前記経過記録サーバから取得した経過記録データと前記工程情報登録手段により登録した情報との整合性を判定する判定手段と、
前記判定手段による判定結果を出力する出力手段と、
を備えることを特徴とする経過データの真正性保証システム。
【請求項３】
前記経過記録サーバは、前記モニタリング装置が前記モニタリング対象物の状態をモニタリングした時刻を取得する時刻情報取得手段を備え、
前記サーバの保存手段は、前記モニタリング情報および前記位置情報を前記時刻情報取得手段により取得した時刻情報とともに保存することを特徴とする請求項１または２記載の経過データの真正性保証システム。
【請求項４】
ネットワークを介して接続されている電子認証装置をさらに含む経過データの真正性保証システムであって、
前記電子認証装置は、ＰＫＩによる認証を行なう認証手段を備え、
前記経過記録サーバの保存手段は、経過記録データに電子署名を付与して保存することを特徴とする請求項１から３のいずれか１項に記載の経過データの真正性保証システム。
【請求項５】
前記経過記録サーバが、前記保存手段により経過記録として時系列で保存する情報および前記閲覧端末が、前記受付手段により受け付ける問い合わせの情報は、トレーサビリティシステムにおけるトレーサビリティ情報であることを特徴とする請求項１から４のいずれか１項に記載の経過データの真正性保証システム。
【請求項６】
ネットワークを介して接続されているモニタリング装置と、経過記録サーバと、閲覧端末と、を利用した経過データの真正性保証方法であって、
前記モニタリング装置が、モニタ手段によってモニタリング対象物の状態をモニタリングするステップと、
位置情報取得手段によってモニタリング対象物もしくはモニタリング装置の位置情報を特定するステップと、を有し、
前記経過記録サーバが、
保存手段によって前記モニタリング装置より受信したモニタリング情報を、前記位置情報とともに時刻経過記録として時系列で保存するステップと、を有し、
前記閲覧端末が、受付手段によって経過記録情報の問い合わせを受け付けるステップと、
前記経過記録サーバに、問合せ手段によって経過記録データを問い合わせるステップと、
前記経過記録サーバが、回答手段によって前記閲覧端末からの問い合わせに対して、経過記録データを回答するステップをさらに有し、
前記閲覧端末が、閲覧手段によって前記経過記録サーバから取得した経過記録データを閲覧するステップをさらに有することを特徴とする経過データの真正性保証方法。
【請求項７】
ネットワークを介して接続されているモニタリング装置と、経過記録サーバと、工程管理端末と、を利用した経過データの真正性保証方法であって、
前記工程管理端末が、工程情報登録手段によって実施されるべき工程情報および各工程における前記モニタリング装置情報を登録するステップを有し、
前記モニタリング装置が、モニタ手段によってモニタリング対象物の状態をモニタリングするステップと、
位置情報取得手段によってモニタリング対象物もしくはモニタリング装置の位置情報を特定するステップと、を有し、
前記経過記録サーバが、
保存手段によって前記モニタリング装置より受信したモニタリング情報を、前記モニタリング装置の識別情報および前記位置情報とともに時刻経過記録として時系列で保存するステップと、を有し、
前記工程管理端末が、問合せ手段によって前記経過記録サーバに、経過記録データを問い合わせるステップをさらに有し、
前記経過記録サーバが、回答手段によって前記工程管理端末からの問い合わせに対して、経過記録データを回答するステップをさらに有し、
前記工程管理端末が、判定手段によって前記経過記録サーバから取得した経過記録データと前記登録するステップで登録した情報との整合性を判定するステップと、
出力手段によって前記判定するステップでの判定結果を出力するステップと、
をさらに有することを特徴とする経過データの真正性保証方法。
【請求項８】
前記経過記録サーバが、時刻情報取得手段によって前記モニタリング装置が前記モニタリング対象物の状態をモニタリングした時刻を取得するステップをさらに有し、
前記保存するステップにおいて、前記モニタリング情報および前記位置情報を前記取得するステップで取得した時刻情報とともに保存することを特徴とする請求項６または７記載の経過データの真正性保証方法。
【請求項９】
ネットワークを介して接続されている電子認証装置をさらに利用した経過データの真正性保証方法であって、
前記電子認証装置が、ＰＫＩ電子認証手段を提供し、
前記サーバが、前記保存するステップにおいて、前記経過記録データに電子署名を付与して保存することを特徴とする請求項６から８のいずれか１項に記載の経過データの真正性保証方法。
【請求項１０】
前記経過記録サーバが、前記保存するステップで経過記録として時系列で保存する情報および前記閲覧端末が、前記受け付けるステップで受け付ける問い合わせの情報は、トレーサビリティシステムにおけるトレーサビリティ情報であることを特徴とする請求項６から９のいずれか１項に記載の経過データの真正性保証方法。
【請求項１１】
受信したモニタリング情報を、前記位置情報取得手段により取得したモニタリング対象物の位置情報とともに経過記録として時系列で保存する保存手段と、
問い合わせに対して、経過記録データを回答する回答手段と、
を備えることを特徴とする経過記録装置。
【請求項１２】
前記モニタリング装置が前記モニタリング対象物の状態をモニタリングした時刻を取得する時刻情報取得手段を備え、
前記保存手段は、前記モニタリング情報および前記位置情報を前記時刻情報取得手段により取得した時刻情報とともに保存することを特徴とする請求項１１記載の経過記録装置。
【請求項１３】
前記保存手段は、前記経過記録データに電子署名を付与して保存することを特徴とする請求項１１または１２記載の経過記録装置。
【請求項１４】
モニタリング装置に、モニタ手段によってモニタリング対象物の状態をモニタリングするステップと、
位置情報取得手段によってモニタリング対象物もしくはモニタリング装置の位置情報を特定するステップと、を実行させ、
経過記録サーバに、
保存手段によって前記モニタリング装置より受信したモニタリング情報を、前記位置情報とともに時刻経過記録として時系列で保存するステップと、を実行させ、
閲覧端末に、受付手段によって経過記録情報の問い合わせを受け付けるステップと、
前記経過記録サーバに対して、問合せ手段によって経過記録データを問い合わせるステップと、
前記経過記録サーバに、回答手段によって前記閲覧端末からの問い合わせに対して、経過記録データを回答するステップをさらに実行させ、
前記閲覧端末に、閲覧手段によって前記経過記録サーバから取得した経過記録データを閲覧するステップをさらに実行させることを特徴とするプログラム。
【請求項１５】
工程管理端末に、工程情報登録手段によって実施されるべき工程情報および各工程における前記モニタリング装置情報を登録するステップを実行させ、
モニタリング装置に、モニタ手段によってモニタリング対象物の状態をモニタリングするステップと、
位置情報取得手段によってモニタリング対象物もしくはモニタリング装置の位置情報を特定するステップと、を実行させ、
経過記録サーバに、
保存手段によって前記モニタリング装置より受信したモニタリング情報を、前記モニタリング装置の識別情報および前記位置情報とともに経過記録として時系列で保存するステップと、を実行させ、
前記工程管理端末に、問合せ手段によって前記経過記録サーバに対して、経過記録データを問い合わせるステップをさらに実行させ、
前記経過記録サーバに、回答手段によって前記工程管理端末からの問い合わせに対して、経過記録データを回答するステップをさらに実行させ、
前記工程管理端末に、判定手段によって前記経過記録サーバから取得した経過記録データと前記登録するステップで登録した情報との整合性を判定するステップと、
出力手段によって前記判定するステップでの判定結果を出力するステップと、
をさらに実行させることを特徴とするプログラム。
【請求項１６】
前記経過記録サーバに、時刻情報取得手段によって前記モニタリング装置が前記モニタリング対象物の状態をモニタリングした時刻を取得するステップを実行させ、
前記保存するステップにおいて、前記モニタリング情報および前記位置情報を前記取得するステップで取得した時刻情報とともに保存させることを特徴とする請求項１４または１５記載のプログラム。
【請求項１７】
ネットワークを介して接続されている電子認証装置により提供される、ＰＫＩ電子認証を行なうステップを実行させ、
前記サーバに、前記保存するステップにおいて、前記経過記録データに電子署名を付与して保存させることを特徴とする請求項１４から１６のいずれか１項に記載のプログラム。
【請求項１８】
前記経過記録サーバに、前記保存するステップで経過記録として時系列で保存させる情報および前記閲覧端末に、前記受け付けるステップで受け付けさせる問い合わせの情報は、トレーサビリティシステムにおけるトレーサビリティ情報であることを特徴とする請求項１４から１７のいずれか１項に記載のプログラム。
【発明の詳細な説明】
【技術分野】
【０００１】
本発明は、経過記録の内容を保証する経過データの真正性保証システム、その方法、経過記録装置およびプログラムに関する。
【背景技術】
【０００２】
近年、ＢＳＥ問題等の食に対する安全神話の崩壊に伴ない、産地直送等の高くても安全で信頼のおける食品への関心は高まりつつある。
【０００３】
食品の品質表示や生産・流通・加工の工程を管理するためのトレーサビリティシステムの整備に向けて開発実証実験が行なわれており、期待は高い。その一方、食品の虚偽表示問題等により、消費者にとっては表示された情報そのものの信頼性を判断する根拠、基準の提供が必要になってきている。
【０００４】
ここで、工程管理を自動的に記録する仕組みとして、電気融着装置に携帯電話機をケーブルにより接続し、電気融着装置の制御部に蓄積された、継手情報、装置情報、工事情報、電気融着時における融着データを携帯電話機により工事会社の事務所に設置されるホストコンピュータに無線通信回線を通して送信し、配管図や施工図とともにコンピュータの記憶部に記録させることによって、電気融着に関するデータの登録を手間をかけることなく確実に行なえるような電気融着装置の施工管理システムを提供することができる技術が提案されている（例えば、特許文献１参照）。
【特許文献１】特開２００２−６７１６７号公報
【発明の開示】
【発明が解決しようとする課題】
【０００５】
しかしながら、上述した従来例においては、工程管理において遂行保証を行うことまでは、考慮されておらず、記載内容の真偽を判断できないという問題点があった。
【０００６】
また、工場における工程管理における遂行保証に限らず、さらに広く過程のモニタリングするトレーサビリティシステムで考えても、従来のシステムではこれらの過程そのものを記録し、保証するためのしくみがなく、安全性へのニーズに対して必要な情報の提供が不足しているという問題点があった。トレーサビリティで提供される情報そのものである記載内容の真正性を簡易に保証する手立てがなく、例えば、食品トレーサビリティシステムで提供される情報には、生産者、生産方法や流通・加工業者、流通・加工方法を記載しているが、記載された方法で本当に実施されていることを確認する手立ては提供されていないので、虚偽の内容が記載されていたとしても、監査等により不正摘発され、その事実が公表されない限り、閲覧者は真偽を区別する判断材料を持つことができないという問題点があった。
【０００７】
そこで、本発明は、保存データへの電子署名付与、時刻認証等による真正性の担保された時刻や、位置情報認証等による位置等の物理情報とともに経過を記録するとともに、データ取得の自動化によりデータの誤入力を防ぎ信頼性の高いデータ記録を行ない、また、プロセスを自動的に行なうことにより人為的な改ざんが行なわれる余地を排除するとともに、改ざんが行なわれた場合には検出する機能を有することによって経過記録の内容の真正性を保証することができる経過データの真正性保証システム、その方法、経過記録装置およびプログラムを提供することを目的とする。
【課題を解決するための手段】
【０００８】
請求項１記載の発明は、ネットワークを介して接続されているモニタリング装置と、経過記録サーバと、閲覧端末と、を含む経過データの真正性保証システムであって、モニタリング装置は、モニタリング対象物の状態をモニタリングするモニタ手段と、モニタリング対象物もしくはモニタリング装置の位置情報を有する、もしくは位置を特定する手段とを備え、経過記録サーバは、モニタリング装置より受信したモニタリング情報を、位置情報とともに経過記録として時系列で保存する保存手段と、閲覧端末からの問い合わせに対して、経過記録データを回答する回答手段とを備え、閲覧端末は、経過記録情報の問い合わせを受け付ける受付手段と、経過記録サーバに、経過記録データを問い合わせる問合せ手段と、経過記録サーバから取得した経過記録データを閲覧する閲覧手段とを備えることを特徴とする経過データの真正性保証システムである。
【０００９】
請求項２記載の発明は、ネットワークを介して接続されているモニタリング装置と、経過記録サーバと、工程管理端末と、を含む経過データの真正性保証システムであって、モニタリング装置は、モニタリング対象物の状態をモニタリングするモニタ手段と、モニタリング対象物もしくはモニタリング装置の位置情報を有する、もしくは位置を特定する手段とを備え、経過記録サーバは、モニタリング装置より受信したモニタリング情報を、モニタリング装置の識別情報および位置情報とともに経過記録として時系列で保存する保存手段と、工程管理端末からの問い合わせに対して、経過記録データを回答する回答手段と、を備え、工程管理端末は、実施されるべき工程情報および各工程におけるモニタリング装置情報を登録する工程情報登録手段と、経過記録サーバに、経過記録データを問い合わせる問合せ手段と、経過記録サーバから取得した経過記録データと工程情報登録手段により登録した情報との整合性を判定する判定手段と、判定手段による判定結果を出力する出力手段とを備えることを特徴とする経過データの真正性保証システムである。
【００１０】
請求項３記載の発明は、請求項１または２記載の経過データの真正性保証システムにおいて、経過記録サーバは、モニタリング装置がモニタリング対象物の状態をモニタリングした時刻を取得する時刻情報取得手段を備え、サーバの保存手段は、モニタリング情報および位置情報を時刻情報取得手段により取得した時刻情報とともに保存する。
【００１１】
請求項４記載の発明は、請求項１から３のいずれか１項に経過データの真正性保証システムにおいて、ネットワークを介して接続されている電子認証装置をさらに含む経過データの真正性保証システムであって、電子認証装置は、ＰＫＩによる認証を行なう認証手段を備え、経過記録サーバの保存手段は、経過記録データに電子署名を付与して保存する。
【００１２】
請求項５記載の発明は、請求項１から４のいずれか１項に記載の経過データの真正性保証システムにおいて、経過記録サーバが、保存手段により経過記録として時系列で保存する情報および閲覧端末が、受付手段により受け付ける問い合わせの情報は、トレーサビリティシステムにおけるトレーサビリティ情報である。
【００１３】
請求項６記載の発明は、ネットワークを介して接続されているモニタリング装置と、経過記録サーバと、閲覧端末と、を利用した経過データの真正性保証方法であって、モニタリング装置が、モニタ手段によってモニタリング対象物の状態をモニタリングするステップと、位置情報取得手段によってモニタリング対象物もしくはモニタリング装置の位置情報を特定するステップと、を有し、経過記録サーバが、保存手段によってモニタリング装置より受信したモニタリング情報を、位置情報取得手段で取得した位置情報とともに経過記録として時系列で保存するステップとを有し、閲覧端末が、受付手段によって経過記録情報の問い合わせを受け付けるステップと、経過記録サーバに、問合せ手段によって経過記録データを問い合わせるステップと、経過記録サーバが、回答手段によって閲覧端末からの問い合わせに対して、経過記録データを回答するステップをさらに有し、閲覧端末が、閲覧手段によって経過記録サーバから取得した経過記録データを閲覧するステップをさらに有することを特徴とする経過データの真正性保証方法である。
【００１４】
請求項７記載の発明は、ネットワークを介して接続されているモニタリング装置と、経過記録サーバと、工程管理端末と、を利用した経過データの真正性保証方法であって、工程管理端末が、工程情報登録手段によって実施されるべき工程情報および各工程におけるモニタリング装置情報を登録するステップを有し、モニタリング装置が、モニタ手段によってモニタリング対象物の状態をモニタリングするステップと、位置情報取得手段によってモニタリング対象物もしくはモニタリング装置の位置情報を特定するステップと、を有し、経過記録サーバが、保存手段によってモニタリング装置より受信したモニタリング情報を、モニタリング装置の識別情報および位置情報取得手段で取得した位置情報とともに経過記録として時系列で保存するステップとを有し、工程管理端末が、問合せ手段によって経過記録サーバに、経過記録データを問い合わせるステップをさらに有し、経過記録サーバが、回答手段によって工程管理端末からの問い合わせに対して、経過記録データを回答するステップをさらに有し、工程管理端末が、判定手段によって経過記録サーバから取得した経過記録データと登録するステップで登録した情報との整合性を判定するステップと、出力手段によって判定するステップでの判定結果を出力するステップとをさらに有することを特徴とする経過データの真正性保証方法である。
【００１５】
請求項８記載の発明は、請求項６または７記載の経過データの真正性保証方法において、経過記録サーバが、時刻情報取得手段によってモニタリング装置がモニタリング対象物の状態をモニタリングした時刻を取得するステップをさらに有し、保存するステップにおいて、モニタリング情報および位置情報を取得するステップで取得した時刻情報とともに保存する。
【００１６】
請求項９記載の発明は、請求項６から８のいずれか１項に記載の経過データの真正性保証方法において、ネットワークを介して接続されている電子認証装置をさらに利用した経過データの真正性保証方法であって、電子認証装置が、ＰＫＩ電子認証手段を提供し、サーバが、保存するステップにおいて、経過記録データに電子署名を付与して保存する。
【００１７】
請求項１０記載の発明は、請求項６から９のいずれか１項に記載の経過データの真正性保証方法において、経過記録サーバが、保存するステップで経過記録として時系列で保存する情報および閲覧端末が、受け付けるステップで受け付ける問い合わせの情報は、トレーサビリティシステムにおけるトレーサビリティ情報である。
【００１８】
請求項１１記載の発明は、受信したモニタリング情報を、位置情報取得手段により取得したモニタリング対象物の位置情報とともに経過記録として時系列で保存する保存手段と、問い合わせに対して、経過記録データを回答する回答手段とを備えることを特徴とする経過記録装置である。
【００１９】
請求項１２記載の発明は、請求項１１記載の経過記録装置において、モニタリング装置がモニタリング対象物の状態をモニタリングした時刻を取得する時刻情報取得手段を備え、保存手段は、モニタリング情報および位置情報を時刻情報取得手段により取得した時刻情報とともに保存する。
【００２０】
請求項１３記載の発明は、請求項１１または１２記載の経過記録装置において、保存手段は、経過記録データに電子署名を付与して保存する。
【００２１】
請求項１４記載の発明は、モニタリング装置に、モニタ手段によってモニタリング対象物の状態をモニタリングするステップと、位置情報取得手段によってモニタリング対象物もしくはモニタリング装置の位置情報を特定するステップと、を実行させ、経過記録サーバに、保存手段によってモニタリング装置より受信したモニタリング情報を、位置情報取得手段で取得した位置情報とともに経過記録として時系列で保存するステップとを実行させ、閲覧端末に、受付手段によって経過記録情報の問い合わせを受け付けるステップと、経過記録サーバに対して、問合せ手段によって経過記録データを問い合わせるステップと、経過記録サーバに、回答手段によって閲覧端末からの問い合わせに対して、経過記録データを回答するステップをさらに実行させ、閲覧端末に、閲覧手段によって経過記録サーバから取得した経過記録データを閲覧するステップをさらに実行させることを特徴とするプログラムである。
【００２２】
請求項１５記載の発明は、工程管理端末に、工程情報登録手段によって実施されるべき工程情報および各工程におけるモニタリング装置情報を登録するステップを実行させ、モニタリング装置に、モニタ手段によってモニタリング対象物の状態をモニタリングするステップと、位置情報取得手段によってモニタリング対象物もしくはモニタリング装置の位置情報を特定するステップと、を実行させ、経過記録サーバに、保存手段によってモニタリング装置より受信したモニタリング情報を、モニタリング装置の識別情報および位置情報取得手段で取得した位置情報とともに経過記録として時系列で保存するステップとを実行させ、工程管理端末に、問合せ手段によって経過記録サーバに対して、経過記録データを問い合わせるステップをさらに実行させ、経過記録サーバに、回答手段によって工程管理端末からの問い合わせに対して、経過記録データを回答するステップをさらに実行させ、工程管理端末に、判定手段によって経過記録サーバから取得した経過記録データと登録するステップで登録した情報との整合性を判定するステップと、出力手段によって判定するステップでの判定結果を出力するステップとをさらに実行させることを特徴とするプログラムである。
【００２３】
請求項１６記載の発明は、請求項１４または１５記載のプログラムにおいて、経過記録サーバに、時刻情報取得手段によってモニタリング装置がモニタリング対象物の状態をモニタリングした時刻を取得するステップを実行させ、保存するステップにおいて、モニタリング情報および位置情報を取得するステップで取得した時刻情報とともに保存させる。
【００２４】
請求項１７記載の発明は、請求項１４から１６のいずれか１項に記載のプログラムにおいて、ネットワークを介して接続されている電子認証装置により提供される、ＰＫＩ電子認証を行なうステップを実行させ、サーバに、保存するステップにおいて、経過記録データに電子署名を付与して保存させる。
【００２５】
請求項１８記載の発明は、請求項１４から１７のいずれか１項に記載のプログラムにおいて、経過記録サーバに、保存するステップで経過記録として時系列で保存させる情報および閲覧端末に、受け付けるステップで受け付けさせる問い合わせの情報は、トレーサビリティシステムにおけるトレーサビリティ情報である。
【発明の効果】
【００２６】
本発明の経過データの真正性保証システム、その方法、経過記録装置およびプログラムによれば、経過記録の内容の真正性を保証することができる。
【発明を実施するための最良の形態】
【００２７】
次に、本発明の第１の実施の形態の構成について図面を参照して説明する。
【００２８】
図１を参照すると、本実施の形態における経過データの真正性保証システムは、モニタリング装置１０と、トレーサビリティ装置２０と、経過記録サーバ３０と、トレーサビリティ閲覧端末４０と、時刻情報提供装置５０と、電子認証装置７０とから構成されている。これらのモニタリング装置１０、トレーサビリティ装置２０、経過記録サーバ３０、トレーサビリティ閲覧端末４０、時刻情報提供装置５０および電子認証装置７０は、プログラム制御により動作し、ネットワ−ク１００を介して相互に接続されている。ネットワーク１００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００２９】
ここで、真正性とはデータ取得、記録装置であるモニタリング装置１０や経過記録サーバ３０等に偽証がないこと、および記録された情報が改ざんされていないことの両方を併せ持つことを指すものとする。
【００３０】
モニタリング装置１０は、生産・流通・加工現場の状況をモニタリングする情報処理装置である。モニタリング情報は、例えば、映像、画像、温度、湿度、化学物質の濃度、プロセス制御機器の動作状況等を含み、トレースすべき対象および工程により異なる。
【００３１】
トレーサビリティ装置２０は、従来提供されている生産・流通・加工の情報に加え、経過情報へのリンク情報を有する情報処理装置である。トレーサビリティ閲覧端末４０からの問い合わせに対して経過記録への仲介を行なう機能を有している。
【００３２】
経過記録サーバ３０は、モニタリング装置１０より受信したモニタリング情報を、経過記録として時系列で保存するワークステーション等の情報処理装置である。なお、経過記録として時系列で保存する情報は、トレーサビリティシステムにおけるトレーサビリティ情報に限らず、広く、経過データであるもの全般を含む意味である。
【００３３】
経過記録サーバ３０は、トレーサビリティ閲覧端末４０からの問い合わせに対して、経過記録を回答する機能を有している。
【００３４】
また、経過記録サーバ３０は、時刻情報提供装置５０で真正性を担保された時刻情報を取得する機能や、図２に示すような位置情報提供装置６０で確認された位置情報を取得する機能を有している。
【００３５】
ここで、時刻情報は、経過記録サーバ３０およびモニタリング装置１０が所定の時刻サーバと同期を取ることにより、記録時間を担保したり、経過記録サーバ３０が、データを記録する際に、既存の時刻認証サービスによるタイムスタンプを付与することにより、記録時刻を担保することであってもよい。
【００３６】
また、位置情報は、起点位置を元に移動量を測定し、位置情報を取得することにより記録場所を証明したり、ＧＰＳや位置情報サービス等のＧＰＳ衛星や通信基地局との通信により、位置情報を取得し、記録場所を証明することであってもよい。例えば、モニタリング装置１０は、図２に示すように、ＧＰＳ（Global Positioning Systems）を利用した位置情報提供装置６０により、自らの位置情報を取得することができることであってもよい。このように構成することによって、位置情報と計測データを組み合わせて記録できるため、データを採取した場所の偽証を防ぐことができる。
【００３７】
また、経過記録サーバ３０は、ＰＫＩ（Public Key Infrastructure）による認証を行なう電子認証装置７０より保証される電子署名を付与して経過記録を保存する機能を有している。例えば、収集したモニタリング情報について、経過記録サーバ３０にて電子署名を付加して経過記録サーバ３０に記録することであってもよい。この電子署名付与により、記録データに改ざんがあった場合には検出することが可能となる。
【００３８】
トレーサビリティ閲覧端末４０は、ＩＣタグリーダ機構によって、ＩＣタグのＩＤ番号等を読み取り、経過記録情報の問い合わせを受け付け、経過記録データを閲覧するための情報処理装置であり、例えば、自宅に設置されたパーソナルコンピュータや店頭のタッチパネル等である。
【００３９】
次に、図３を参照して、本実施の形態における、経過記録データを収集して閲覧するまでの処理のフローを詳細に説明する。
【００４０】
まず、トレーサビリティ装置２０は、モニタリング装置１０の識別番号および設置場所、モニタリング対象物等の情報をトレーサビリティ装置２０で管理する生産・流通・加工の基礎データに登録する（Ｓ３０１）。
【００４１】
次に、モニタリング装置１０は、モニタリング情報を収集する（Ｓ３０２）。工程のモニタリングは、モニタリング装置１０に登録したスケジュールに従い行なう。ここで、モニタリング装置１０および対象としては、例えば、デジタルビデオカメラまたはビデオカメラによる映像撮影、デジタルカメラまたはカメラによる画像撮影、センサによる温度測定、湿度測定、特定の化学物質測定等がある。
【００４２】
経過記録サーバ３０は、ネットワーク１００を介して送信された、モニタリング情報を機器識別情報、モニタリング経過記録、時刻情報提供装置５０から取得した真正性を担保された時刻情報あるいは位置情報提供装置６０から取得した位置情報とともに保存する（Ｓ３０３）。また、電子認証装置７０は、電子署名により、経過記録サーバ３０に保存された情報がデータ改ざんのない記録であることを保証する。
【００４３】
トレーサビリティ装置２０は、出荷時、流通時等にトレーサビリティ情報を登録する際、収穫場所、流通経路および加工場所を登録するとともに対応するモニタリング装置１０の識別番号も登録する（Ｓ３０４）。
【００４４】
トレーサビリティ閲覧端末４０は、ＩＣタグからＩＤ情報を取得して、トレーサビリティ装置２０にアクセスする（Ｓ３０５）。
【００４５】
トレーサビリティ装置２０は、モニタリング装置１０の識別番号に基づいて経過記録サーバ３０に記録されている経過記録データにリンクする（Ｓ３０６）。
【００４６】
最後に、トレーサビリティ閲覧端末４０は、経過記録サーバ３０から経過記録データをダウンロードしてきてその情報を所定の表示部に表示する（Ｓ３０７）。
【００４７】
以上のように、本実施の形態によれば、時刻認証サービスや位置情報サービス等の認証機関が事象に係る物理情報の真正性を担保したり、電子署名により、データ改竄のないデータであることを保証すること、またはこれら両者を用いることにより、事象そのものの真正性を担保することができ、事象の真正性を容易にかつ安価に保証することが可能となる。
【００４８】
また、消費者は、生産・流通・加工工程の客観的なデータによる記録を確認することができるため、申告されている方法にしたがって作業や処理が行われているか否かを知ることが可能になる。これにより、不正業者を排除し、食品等商品の品質に応じて正当な価格での取引が可能となる。その理由は、各工程が正当に実施されていることが保証されるため、正当な工程で生産・流通・加工したものの価値を証明できるからである。さらに、消費者が、信頼のおける商品を購入することが可能になる。その理由は、各工程を閲覧し、実施の有無を確認できるためである。そして、高度の真正性保証という付加価値を提供できる。その理由は、食品等商品の安全性に対する関心に対応して、安全性にかかわる過程そのものを保証できるためである。
【００４９】
以下、本発明の第２の実施の形態における経過データの真正性保証システムについて、図面を参照して説明する。図４を参照すると、本実施の形態は、モニタリング装置１０と、経過記録サーバ３０と、工程管理端末８０から構成されている。これらのモニタリング装置１０と、経過記録サーバ３０と、工程管理端末８０は、インターネット等のネットワーク１００を介して接続されている。
【００５０】
上記の第１の実施の形態とは、トレーサビリティ装置２０およびトレーサビリティ閲覧端末４０が工程管理端末８０に変わった以外は同様の構成である。
【００５１】
工程管理端末８０は、各工程で実施されるべき項目をコンピュータプログラムにより登録し、管理しているワークステーション・サーバ等の情報処理装置である。登録された工程の実施有無を経過記録サーバ３０より受信・照会し、工程が実施されたことを確認する機能を有している。
【００５２】
次に、図５を参照して、本実施の形態における、経過記録データを収集して閲覧するまでの処理のフローを詳細に説明する。
【００５３】
まず、工程管理端末８０は、実施されるべき工程を登録する（Ｓ５０１）。このとき、各工程におけるモニタリング装置１０に関する情報も一緒に登録管理される。
【００５４】
この工程に従い現場での作業は実施されるが、工程のモニタリングおよび記録については、上記の第１の実施の形態におけるステップ４０２、４０３と同様である（Ｓ５０２、５０３）。
【００５５】
さらに、経過記録サーバ３０は、経過記録データを工程管理端末８０から取得し、作業や処理の実施状況を照合する（Ｓ５０４、５０５）。
【００５６】
以上のように、本実施の形態によれば、経過記録データを工程管理端末８０で照会するように構成されているため、工程の実施状況を把握し、実施漏れ等を検知して正しく運用を図ることができる。また、工程の実施可否が見える構成のため、請負サービス等において作業の遂行の有無を証明することができる。
【００５７】
また、位置情報の変化を時刻情報を付随してモニタリングすることにより、例えば、清掃業の車両の経路の所定のポイントに設置されたモニタリング装置によって、車両の通過等をモニタリングする、もしくはＧＰＳによる位置情報確認により、経路監視が可能であり、さらに、車載されたカメラにより収集ステーションの作業前、作業後の写真を車両の位置情報、時刻情報と併せて記録することによる作業実施状況を含めて把握することが可能である。すなわち、移動により実施される工程管理が可能である。
【００５８】
以下、本発明の第３の実施の形態における経過データの真正性保証システムについて、図面を参照して説明する。図６を参照すると、本実施の形態は、上記の第１の実施の形態とは、トレーサビリティ装置２０をＷｅｂサーバ９０に、トレーサビリティ閲覧端末４０を情報閲覧端末１１０に置き換えたものであり、それ以外は同様の構成である。
【００５９】
Ｗｅｂサーバ９０は、工程情報をＷｅｂページに掲載しており、その実施状況を経過記録サーバ３０より、指定されたタイミングで自動的に取得もしくは手動での取得指示により取得して、Ｗｅｂ上に公開する機能を有している。
【００６０】
情報閲覧端末１１０は、Ｗｅｂページの閲覧を行なうためのブラウザ機能を持つ情報処理装置である。
【００６１】
次に、図７を参照して、本実施の形態における、経過記録データを収集して閲覧するまでの処理のフローを詳細に説明する。
【００６２】
まず、工程のモニタリングおよび記録については、上記の第１の実施の形態におけるステップ４０２、４０３と同様である（Ｓ７０１、７０２）。
【００６３】
さらに、経過記録サーバ３０は、経過記録データを、Ｗｅｂサーバ９０の工程情報のデータエリアにコピーし、掲載される（Ｓ７０３）。
【００６４】
インターネット上の情報閲覧端末１１０は、Ｗｅｂページの閲覧を行なう（ステップＣ３、Ｃ４）。
【００６５】
以上のように、本実施の形態によれば、経過記録データを、Ｗｅｂサーバ９０にコピーするように構成されているため、工程の実施状況をＷｅｂページで公開してアピールすることができる。
【００６６】
以下、本発明の第４の実施の形態における経過データの真正性保証システムについて、図面を参照して説明する。図８を参照すると、モニタリング装置１０は、１つでもよいが、複数種、複数台数を接続し、映像、画像、数値データをモニタリングデータ収集サーバ１２０に送信することにより、一層、真正性を高めることができる。
【００６７】
カメラ１２０１−１は、画像データもしくは映像データを撮影し、モニタリングデータ収集サーバ１２０に送信する。カメラは、モニタリング対象に応じて１台もしくは複数台設置される。センサー１２０２−１は、温度もしくは湿度もしくは特定の化学物質濃度を計測し、モニタリングデータ収集サーバ１２０に送信する。センサーは、モニタリング対象に応じて温度センサー、湿度センサー、化学物質検知センサーが１台もしくは複数台設置される。モニタリングデータ収集サーバ１２０は、モニタリング装置１０からのデータを収集し、経過記録サーバへ送信する。これにより、複数のモニタリング装置を接続することができ、映像、画像、各種データによりト経過を記録することができるため多面的な経過保証が可能であり、複数の用途への適用が可能となる。
【００６８】
なお、上述する各実施の形態は、本発明の好適な実施の形態であり、本発明の要旨を逸脱しない範囲内において種々変更実施が可能である。例えば、上記の実施の形態におけるモニタリング装置１０と、トレーサビリティ装置２０と、経過記録サーバ３０と、トレーサビリティ閲覧端末４０と、時刻情報提供装置５０と、位置情報提供装置６０と、電子認証装置７０の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネットまたは電話回線等を介して伝送波により他のコンピュータシステムに伝送されてもよい。
【００６９】
上述する各実施の形態は、モニタリング装置１０と、トレーサビリティ装置２０と、経過記録サーバ３０と、トレーサビリティ閲覧端末４０と、時刻情報提供装置５０と、位置情報提供装置６０と、電子認証装置７０等が別個の装置として接続されているシステム構成について説明したが、各機能が１つのコンピュータシステムとして実現されている構成や機能毎に複数のサーバ装置等が追加された構成にも適用可能であることはもちろんである。
【００７０】
また、各種廃棄物の適正処理の証明、例えば、不法投棄防止等の用途にも適用できる。例えば、廃棄物自体にタグをつけ、廃棄物処理施設に設けられたモニタリング装置で、廃棄物自体が最終的に指定された適切な処理施設に存在しているかをチェックしたり、また、運搬車両自体にタグをつけて、車両の経路の所定のポイントに設置されたモニタリング装置によって、車両の通過等をモニタリングする、もしくは運搬車両に搭載したＧＰＳ受信器によりいつどこを通過したか経路チェックし、廃棄物処理施設での廃棄物の積み下ろし前後の荷台の状況をモニタリングすることにより、運搬サービス会社・運転者等に廃棄物の適法な投棄の義務を課すことが可能である。
【００７１】
さらに、不正行為の防止、正当行為の実行保証等にも適用できる。また、産婦人科での赤ちゃんの取り違え防止、双子以上の区別等、良く似たものの区別を行なうことにも適用できる。また、パスポートや重要書類の作成元の保証等の用途にも適用可能である。
【図面の簡単な説明】
【００７２】
【図１】本発明の第１の実施形態における経過データの真正性保証システムの概略構成を示す図である。
【図２】位置情報提供装置を組み合わせたモニタリング装置の構成の一例を示す図である。
【図３】本発明の第１の実施形態における経過記録データの処理動作を示すフローチャートである。
【図４】本発明の第２の実施形態における経過データの真正性保証システムの概略構成を示す図である。
【図５】本発明の第２の実施形態における経過記録データの処理動作を示すフローチャートである。
【図６】本発明の第３の実施形態における経過データの真正性保証システムの概略構成を示す図である。
【図７】本発明の第３の実施形態における経過記録データの処理動作を示すフローチャートである。
【図８】モニタリング装置の構成の一例を示す図である。
【符号の説明】
【００７３】
１０    モニタリング装置
２０    トレーサビリティ装置
３０    経過記録サーバ
４０    トレーサビリティ閲覧端末
５０    時刻情報提供装置
７０    電子認証装置
１００    ネットワーク
【図１】
2006201849.tif 000003
【図２】
2006201849.tif 000004
【図３】
2006201849.tif 000005
【図４】
2006201849.tif 000006
【図５】
2006201849.tif 000007
【図６】
2006201849.tif 000008
【図７】
2006201849.tif 000009
【図８】
2006201849.tif 000010